【手続補正書】
【提出日】平成23年8月9日(2011.8.9)
【手続補正１】
【補正対象書類名】明細書
【補正対象項目名】発明の名称
【補正方法】変更
【補正の内容】
【発明の名称】ディスクドライブ
【手続補正２】
【補正対象書類名】明細書
【補正対象項目名】０００１
【補正方法】変更
【補正の内容】
【０００１】
本発明は、ディスクにより反射されて戻されたレーザ光を複数のセグメントにより構成される受光領域を備える光検出器に導く構成の光ピックアップ装置を備えたディスクドライブに関し、特に、光検出器の受光領域に投影される受光スポットの位置ズレに伴って発生する光検出器から出力される各受光出力の出力差の対策を図った光ピックアップ装置を備えたディスクドライブに関する。
【手続補正３】
【補正対象書類名】明細書
【補正対象項目名】００１５
【補正方法】変更
【補正の内容】
【００１５】
請求項１に係る発明は、レーザ光源から出射されるレーザ光を対物レンズに導き、前記対物レンズにより前記レーザ光を収束させてディスクに照射すると共に、前記ディスクにより反射されて戻された前記レーザ光を複数のセグメントにより構成される受光領域を備える光検出器に導く構成の光ピックアップ装置を有し、前記光検出器に接続されるメモリ回路が備えられ、前記光検出器に前記受光領域の各セグメントに対応して各アンプが設けられると共に、各アンプを介して前記光検出器から各セグメントに対応した各受光出力を出力する各出力端子が設けられ、かつ、前記各アンプのゲインを変化させて及び／又は前記各アンプの入力または出力をアッテネータにより減衰させて前記各出力端子から出力される前記各受光出力を設定する出力設定回路を設け、前記受光領域に投影される受光スポットの位置に基づいて前記各出力端子からの前記各受光出力に生じる出力差に応じて前記出力設定回路により前記各出力端子からの前記各受光出力を補正する前記光ピックアップ装置を備えたディスクドライブであって、ディスクに照射する前記レーザ光の焦点を移動させてその際に前記光検出器の前記各出力端子から出力される前記各受光出力を検査する検査工程時に取得される前記各受光出力に基づいて前記各出力端子から出力される前記各受光出力を調整する設定データが前記メモリ回路に書き込まれるようにしている。これにより光ピックアップ装置単体で光検出器から各受光出力を補正して導出させる。
【手続補正４】
【補正対象書類名】明細書
【補正対象項目名】００１６
【補正方法】変更
【補正の内容】
【００１６】
請求項２に係る発明は、レーザ光源から出射されるレーザ光を対物レンズに導き、前記対物レンズにより前記レーザ光を収束させてディスクに照射すると共に、前記ディスクにより反射されて戻された前記レーザ光を複数のセグメントにより構成される受光領域を備える光検出器に導く構成の光ピックアップ装置を有し、前記光検出器に前記受光領域の各セグメントに対応して各アンプが設けられると共に、各アンプを介して前記光検出器から各セグメントに対応した各受光出力を出力する各出力端子が設けられ、かつ、前記各アンプのゲインを変化させて及び／又は前記各アンプの入力または出力をアッテネータにより減衰させて前記各出力端子から出力される前記各受光出力を設定する出力設定回路を設け、前記各出力端子からの前記各受光出力を設定する設定データを前記出力設定回路に供給する制御回路を設けると共に、前記出力設定回路により前記各出力端子からの前記各受光出力を設定する前記設定データを記憶するメモリ回路を設け、前記メモリ回路に記憶される前記設定データに基づいて前記各出力端子から出力される前記各受光出力を補正する前記光ピックアップ装置を備えたディスクドライブであって、ディスクに照射する前記レーザ光の焦点を移動させてその際に前記光検出器の前記各出力端子から出力される前記各受光出力を検査する検査工程時に取得される前記各受光出力に基づいて前記各出力端子から出力される前記各受光出力を調整する前記設定データが前記メモリ回路に書き込まれるようにしている。
【手続補正５】
【補正対象書類名】明細書
【補正対象項目名】００１７
【補正方法】変更
【補正の内容】
【００１７】
請求項３に係る発明は、前記制御回路を前記光検出器を構成する半導体集積回路に設け、前記制御回路により前記メモリ回路に記憶される前記設定データを読み出して前記設定データを前記光検出器に転送するようにしている。
【手続補正６】
【補正対象書類名】明細書
【補正対象項目名】００１８
【補正方法】変更
【補正の内容】
【００１８】
請求項４に係る発明は、前記制御回路を前記メモリ回路を構成する半導体集積回路に設け、前記制御回路により前記メモリ回路に記憶される前記設定データを読み出して前記設定データを前記光検出器に転送するようにしている。
【手続補正７】
【補正対象書類名】明細書
【補正対象項目名】００１９
【補正方法】変更
【補正の内容】
【００１９】
請求項５に係る発明は、前記ディスクに照射される前記レーザ光を前記ディスクの信号層に合焦させるフォーカス制御に非点収差法を採用している前記光ピックアップ装置を備えたディスクドライブであって、前記メモリ回路には、前記光検出器の取付工程後に前記光検出器の前記各出力端子から出力される前記各受光出力を検査する前記検査工程時に取得される前記各受光出力に基づいて前記各出力端子から出力される前記各受光出力を調整する前記設定データが書き込まれている。設定データをメモリ回路に書き込んでおき、完成後の光ピックアップ装置においてその設定データを読み出すことにより各出力端子からの各受光出力を調整して光検出器から導出される各受光出力を補正する。
【手続補正８】
【補正対象書類名】明細書
【補正対象項目名】００２０
【補正方法】変更
【補正の内容】
【００２０】
請求項６に係る発明は、前記制御回路は、電源電圧が印加される起動時に前記メモリ回路の前記設定データを読み出すと共に、前記設定データに基づいて前記出力設定回路を制御し、前記光検出器の前記各出力端子から出力される前記各受光出力を設定する。起動されると自動的に各出力端子から出力される各受光出力が補正されるようになっている。
【手続補正９】
【補正対象書類名】明細書
【補正対象項目名】００２１
【補正方法】変更
【補正の内容】
【００２１】
請求項７に係る発明は、前記ディスクにより反射されて戻された前記レーザ光を互いに直交する２つの分割線により少なくとも４分割される前記受光領域を備える前記光検出器に導く構成の前記光ピックアップ装置を備えたディスクドライブであって、前記ディスクに照射される前記レーザ光が前記ディスクの信号層に合焦されると判断されるフォーカスエラー信号が発生される状態で、前記受光領域の前記分割線により分割された４つの各セグメントから出力される前記各受光出力を少なくともトラッキング方向の直交方向に対応する分割線により２分される各領域ごとに加算した各加算信号の値が等しくなるように前記出力設定回路により前記光検出器の前記各出力端子から出力される前記各受光出力を設定する。これによりトラッキング方向の直交方向に対応する分割線により２分される各領域ごとの各受光出力の不均衡を補正するようにしている。
【手続補正１０】
【補正対象書類名】明細書
【補正対象項目名】００２２
【補正方法】変更
【補正の内容】
【００２２】
請求項８に係る発明は、前記ディスクにより反射されて戻された前記レーザ光を互いに直交する２つの分割線により少なくとも４分割される前記受光領域を前記光検出器に備え、前記ディスクに照射される前記レーザ光を前記ディスクの信号層に合焦させるフォーカス制御に非点収差法を採用している光ピックアップ装置を備えたディスクドライブであって、前記ディスクに照射する前記レーザ光の前記焦点を前後に移動させてその際にトラッキング方向の直交方向に対応する分割線により前記光検出器の前記受光領域を２分した各領域ごとに前記各出力端子から出力される前記各受光出力を加算した各加算信号の値のピークが等しくなるように前記出力設定回路により前記各出力端子から出力される前記各受光出力を設定する。前記各加算信号のピーク値を用いてトラッキング方向の直交方向に対応する分割線により２分される各領域ごとの各受光出力の検出精度を向上させている。
【手続補正１１】
【補正対象書類名】明細書
【補正対象項目名】００２３
【補正方法】変更
【補正の内容】
【００２３】
請求項９に係る発明は、請求項８に係る発明に加えて前記ディスクに照射する前記レーザ光の前記焦点を前後に移動させてその際に前記トラッキング方向に対応する分割線により前記光検出器の前記受光領域を２分した各領域ごとに前記各出力端子から出力される前記各受光出力を加算した前記各加算信号の値のピークが等しくなるように前記出力設定回路により前記各出力端子から出力される前記各受光出力を設定する。
【手続補正１２】
【補正対象書類名】明細書
【補正対象項目名】００２４
【補正方法】変更
【補正の内容】
【００２４】
請求項１０に係る発明は、前記各出力端子からの前記各受光出力に生じる出力差に応じて前記出力設定回路により前記光検出器の前記各出力端子から出力される前記各受光出力を設定する際に前記各受光出力を合算した全光量に対応する総受光出力を略一定に保持するべく前記各出力端子から出力される前記各受光出力を補正するようにしている。
請求項１１に係る発明は、前記光検出器を光学ハウジングに対して光軸と直交する方向に位置調整して取り付ける取付工程の後に、前記ディスクに照射する前記レーザ光の前記焦点を移動させてその際に前記光検出器の前記各出力端子から出力される前記各受光出力を検査する前記検査工程時に取得される前記各受光出力に基づいて前記各出力端子から出力される前記各受光出力を調整する前記設定データが前記メモリ回路に書き込まれるようにしている。
請求項１２に係る発明は、接着剤の特性に応じて加熱処理して残留応力を緩和するためのアニール工程後に、前記ディスクに照射する前記レーザ光の前記焦点を移動させてその際に前記光検出器の前記各出力端子から出力される前記各受光出力を検査する前記検査工程時に取得される前記各受光出力に基づいて前記各出力端子から出力される前記各受光出力を調整する前記設定データが前記メモリ回路に書き込まれるようにしている。
【手続補正１３】
【補正対象書類名】明細書
【補正対象項目名】００２５
【補正方法】変更
【補正の内容】
【００２５】
請求項１に係る発明によれば、光検出器の受光領域に投影される受光スポットの位置に基づいて光検出器の各出力端子から出力される各受光出力を補正するので、光ピックアップ装置単体で受光領域に投影される受光スポットの偏倚により生じる光検出器の各受光出力の不均衡を補正して各受光出力を導出させることが出来る。
【手続補正１４】
【補正対象書類名】明細書
【補正対象項目名】００２６
【補正方法】変更
【補正の内容】
【００２６】
請求項２に係る発明に依れば、光ピックアップ装置ごとに対応させて光検出器の各受光出力を補正する設定データを記憶させておくことで、光ピックアップ装置単体で前記メモリ回路に記憶される設定データに基づいて光検出器から各受光出力を補正して導出させることが出来る。
【手続補正１５】
【補正対象書類名】明細書
【補正対象項目名】００３４
【補正方法】変更
【補正の内容】
【００３４】
【図１】本発明に係るディスクドライブの光ピックアップ装置における光検出器の受光出力制御装置の一実施例を示す回路ブロック図である。
【図２】光検出器の受光領域及びディスク上での光スポット配置を示し、フォーカス制御方式及びトラッキング制御方式を説明するための説明図である。
【図３】ＰＤＩＣ内の１つのセグメントに対する電流・電圧変換アンプ及び後段アンプの一例を示す回路図である。
【図４】各電流・電圧変換アンプの出力をアッテネータにより減衰量を変化させて光検出器の各出力端子からの各受光出力を補正する方法を説明する回路図である。
【手続補正１６】
【補正対象書類名】明細書
【補正対象項目名】００３５
【補正方法】変更
【補正の内容】
【００３５】
図１は本発明に係るディスクドライブの光ピックアップ装置における光検出器の受光出力制御装置の一実施例を示す回路ブロック図である。
【手続補正１７】
【補正対象書類名】明細書
【補正対象項目名】００４３
【補正方法】変更
【補正の内容】
【００４３】
メイン受光領域Ａｍ、サブ受光領域Ａｓ１及びＡｓ２を構成する各セグメントから得られる各受光出力をそれぞれａ，ｂ，ｃ，ｄ，ｅ，ｆ，ｇ，ｈ，ｉ，ｊ，ｋ，ｌとすると、ＤＶＤ−ＲＯＭの再生のトラッキング制御に採用される位相差法は、メイン受光領域Ａｍの各対角方向のセグメントの受光出力をそれぞれ加算した各和信号（ａ＋ｃ），（ｂ＋ｄ）の位相差を検出するか、あるいはメイン受光領域Ａｍの信号トラック方向の分割線Ｌｙに分割された隣り合う所定の２つのセグメントの受光出力ａ，ｄあるいはｂ，ｃの位相差を検出してトラッキングエラー信号を得る。
【手続補正１８】
【補正対象書類名】明細書
【補正対象項目名】００４４
【補正方法】変更
【補正の内容】
【００４４】
ＤＶＤ±Ｒ/ＲＷの記録及びＣＤの記録再生のトラッキング制御に採用される差動プッシュプル法は、メイン受光領域Ａｍの信号トラック方向の分割線Ｌｙに分割されたそれぞれ２つのセグメントごとの各受光出力をそれぞれ加算した各和信号同士の差信号であるメインプッシュプル信号を演算し、サブ受光領域Ａｓ１及びＡｓ２のそれぞれにおいて信号トラック方向の分割線Ｌｙ１及びＬｙ２に分割されたそれぞれ２つのセグメントごとの各受光出力をそれぞれ加算した各和信号同士の差信号であるサブプッシュプル信号をサブ受光領域Ａｓ１及びＡｓ２ごとに第１、第２のサブプッシュプル信号として演算し、この第１、第２のサブプッシュプル信号を合成した合成サブプッシュプル信号をメインプッシュプル信号に合わせてゲイン（Ｇ１）調整し、これらのプッシュプル信号の差分を演算して演算式ａ−ｂ−ｃ＋ｄ−Ｇ１（ｅ−ｆ−ｇ＋ｈ＋ｉ−ｊ−ｋ＋ｌ）のトラッキングエラー信号を得る。
【手続補正１９】
【補正対象書類名】明細書
【補正対象項目名】００９８
【補正方法】変更
【補正の内容】
【００９８】
１         光検出器
２，Ａｍ，Ａｓ１，Ａｓ２      受光領域
３，４，５，６，３２，３３    電流・電圧変換アンプ
７，８，９，１０，３７        後段アンプ
１１，１２，１３，１４        出力端子
１５        出力設定回路
１６        フラッシュメモリ（メモリ回路）
１７        制御回路
２４        出力差検出回路
２５        設定データ生成回路
２６        データ書き込み制御回路
３１，Ａ，Ｂ，Ｃ，Ｄ セグメント
ａ，ｂ，ｃ，ｄ 受光出力
Ｌｘ，Ｌｘ１，Ｌｘ２，Ｌｙ，Ｌｙ１，Ｌｙ２ 分割線
【手続補正２０】
【補正対象書類名】特許請求の範囲
【補正対象項目名】全文
【補正方法】変更
【補正の内容】
【特許請求の範囲】
【請求項１】
レーザ光源から出射されるレーザ光を対物レンズに導き、前記対物レンズにより前記レーザ光を収束させてディスクに照射すると共に、前記ディスクにより反射されて戻された前記レーザ光を複数のセグメントにより構成される受光領域を備える光検出器に導く構成の光ピックアップ装置を有し、前記光検出器に接続されるメモリ回路が備えられ、前記光検出器に前記受光領域の各セグメントに対応して各アンプが設けられると共に、各アンプを介して前記光検出器から各セグメントに対応した各受光出力を出力する各出力端子が設けられ、かつ、前記各アンプのゲインを変化させて及び／又は前記各アンプの入力または出力をアッテネータにより減衰させて前記各出力端子から出力される前記各受光出力を設定する出力設定回路を設け、前記受光領域に投影される受光スポットの位置に基づいて前記各出力端子からの前記各受光出力に生じる出力差に応じて前記出力設定回路により前記各出力端子からの前記各受光出力を補正する前記光ピックアップ装置を備えたディスクドライブであって、ディスクに照射する前記レーザ光の焦点を移動させてその際に前記光検出器の前記各出力端子から出力される前記各受光出力を検査する検査工程時に取得される前記各受光出力に基づいて前記各出力端子から出力される前記各受光出力を調整する設定データが前記メモリ回路に書き込まれることを特徴とするディスクドライブ。
【請求項２】
レーザ光源から出射されるレーザ光を対物レンズに導き、前記対物レンズにより前記レーザ光を収束させてディスクに照射すると共に、前記ディスクにより反射されて戻された前記レーザ光を複数のセグメントにより構成される受光領域を備える光検出器に導く構成の光ピックアップ装置を有し、前記光検出器に前記受光領域の各セグメントに対応して各アンプが設けられると共に、各アンプを介して前記光検出器から各セグメントに対応した各受光出力を出力する各出力端子が設けられ、かつ、前記各アンプのゲインを変化させて及び／又は前記各アンプの入力または出力をアッテネータにより減衰させて前記各出力端子から出力される前記各受光出力を設定する出力設定回路を設け、前記各出力端子からの前記各受光出力を設定する設定データを前記出力設定回路に供給する制御回路を設けると共に、前記出力設定回路により前記各出力端子からの前記各受光出力を設定する前記設定データを記憶するメモリ回路を設け、前記メモリ回路に記憶される前記設定データに基づいて前記各出力端子から出力される前記各受光出力を補正する前記光ピックアップ装置を備えたディスクドライブであって、ディスクに照射する前記レーザ光の焦点を移動させてその際に前記光検出器の前記各出力端子から出力される前記各受光出力を検査する検査工程時に取得される前記各受光出力に基づいて前記各出力端子から出力される前記各受光出力を調整する前記設定データが前記メモリ回路に書き込まれることを特徴とするディスクドライブ。
【請求項３】
前記制御回路を前記光検出器を構成する半導体集積回路に設け、前記制御回路により前記メモリ回路に記憶される前記設定データを読み出して前記設定データを前記光検出器に転送するようにしたことを特徴とする請求項２記載のディスクドライブ。
【請求項４】
前記制御回路を前記メモリ回路を構成する半導体集積回路に設け、前記制御回路により前記メモリ回路に記憶される前記設定データを読み出して前記設定データを前記光検出器に転送するようにしたことを特徴とする請求項２記載のディスクドライブ。
【請求項５】
前記ディスクに照射される前記レーザ光を前記ディスクの信号層に合焦させるフォーカス制御に非点収差法を採用している前記光ピックアップ装置を備えたディスクドライブであって、前記メモリ回路には、前記光検出器の取付工程後に前記光検出器の前記各出力端子から出力される前記各受光出力を検査する前記検査工程時に取得される前記各受光出力に基づいて前記各出力端子から出力される前記各受光出力を調整する前記設定データが書き込まれていることを特徴とする請求項１又は２記載のディスクドライブ。
【請求項６】
前記制御回路は、電源電圧が印加される起動時に前記メモリ回路の前記設定データを読み出すと共に、前記設定データに基づいて前記出力設定回路を制御し、前記光検出器の前記各出力端子から出力される前記各受光出力を設定することを特徴とする請求項２記載のディスクドライブ。
【請求項７】
前記ディスクにより反射されて戻された前記レーザ光を互いに直交する２つの分割線により少なくとも４分割される前記受光領域を備える前記光検出器に導く構成の前記光ピックアップ装置を備えたディスクドライブであって、前記ディスクに照射される前記レーザ光が前記ディスクの信号層に合焦されると判断されるフォーカスエラー信号が発生される状態で、前記受光領域の前記分割線により分割された４つの各セグメントから出力される前記各受光出力を少なくともトラッキング方向の直交方向に対応する分割線により２分される各領域ごとに加算した各加算信号の値が等しくなるように前記出力設定回路により前記光検出器の前記各出力端子から出力される前記各受光出力を設定することを特徴とする請求項１又は２記載のディスクドライブ。
【請求項８】
前記ディスクにより反射されて戻された前記レーザ光を互いに直交する２つの分割線により少なくとも４分割される前記受光領域を前記光検出器に備え、前記ディスクに照射される前記レーザ光を前記ディスクの信号層に合焦させるフォーカス制御に非点収差法を採用している光ピックアップ装置を備えたディスクドライブであって、前記ディスクに照射する前記レーザ光の前記焦点を前後に移動させてその際にトラッキング方向の直交方向に対応する分割線により前記光検出器の前記受光領域を２分した各領域ごとに前記各出力端子から出力される前記各受光出力を加算した各加算信号の値のピークが等しくなるように前記出力設定回路により前記各出力端子から出力される前記各受光出力を設定することを特徴とする請求項１又は２記載のディスクドライブ。
【請求項９】
前記ディスクに照射する前記レーザ光の前記焦点を前後に移動させてその際に前記トラッキング方向に対応する分割線により前記光検出器の前記受光領域を２分した各領域ごとに前記各出力端子から出力される前記各受光出力を加算した前記各加算信号の値のピークが等しくなるように前記出力設定回路により前記各出力端子から出力される前記各受光出力を設定することを特徴とする請求項８記載のディスクドライブ。
【請求項１０】
前記各出力端子からの前記各受光出力に生じる出力差に応じて前記出力設定回路により前記光検出器の前記各出力端子から出力される前記各受光出力を設定する際に前記各受光出力を合算した全光量に対応する総受光出力を略一定に保持するべく前記各出力端子から出力される前記各受光出力を補正することを特徴とする請求項１又は２記載のディスクドライブ。
【請求項１１】
前記光検出器を光学ハウジングに対して光軸と直交する方向に位置調整して取り付ける取付工程の後に、前記ディスクに照射する前記レーザ光の前記焦点を移動させてその際に前記光検出器の前記各出力端子から出力される前記各受光出力を検査する前記検査工程時に取得される前記各受光出力に基づいて前記各出力端子から出力される前記各受光出力を調整する前記設定データが前記メモリ回路に書き込まれることを特徴とする請求項１又は２記載のディスクドライブ。
【請求項１２】
接着剤の特性に応じて加熱処理して残留応力を緩和するためのアニール工程後に、前記ディスクに照射する前記レーザ光の前記焦点を移動させてその際に前記光検出器の前記各出力端子から出力される前記各受光出力を検査する前記検査工程時に取得される前記各受光出力に基づいて前記各出力端子から出力される前記各受光出力を調整する前記設定データが前記メモリ回路に書き込まれることを特徴とする請求項１、２、又は１１記載のディスクドライブ。